(57)【特許請求の範囲】
【請求項１】
アイウェア保持装置であって、
弾性ケーブルと、２つの眼鏡テンプル保持具とを備え、前記弾性ケーブルが２つの端部を有し、前記弾性ケーブルの各端部には、前記眼鏡テンプル保持具が１つずつ固定され、前記眼鏡テンプル保持具が、眼鏡テンプルの端部を固定するための第１開口部を有しており、
前記眼鏡テンプル保持具が眼鏡に固定され且つ前記眼鏡が耳の上にかけられたときに、前記弾性ケーブルが、着用者の頭部から後方に延びて、着用者の首から離れて浮いた状態で保持されることを特徴とするアイウェア保持装置。
【請求項２】
請求項１に記載のアイウェア保持装置において、さらに、
前記弾性ケーブルが、直径を有するものであって、捻られたワイヤケーブル、プラスチックおよびカーボンファイバからなる群から選択される材料を含むことを特徴とするアイウェア保持装置。
【請求項３】
請求項１に記載のアイウェア保持装置において、さらに、
前記弾性ケーブルが、前記弾性ケーブルの端部の近傍に取り付けられたビードによって前記眼鏡テンプル保持具の各々に固定されており、各眼鏡テンプル保持具が、前記弾性ケーブルを挿通させる第２開口部を有し、前記ビードが前記眼鏡テンプル保持具の前記第２開口部よりも大きいことを特徴とするアイウェア保持装置。
【請求項４】
請求項３に記載のアイウェア保持装置において、さらに、
前記眼鏡テンプル保持具が、前記弾性ケーブルを挿通させる前記第２開口部となるその端部に中空の錐台状の部分を有するチューブを含むことを特徴とするアイウェア保持装置。
【請求項５】
請求項１に記載のアイウェア保持装置において、
前記弾性ケーブルを着用者の頭部から後方に向けるように、眼鏡のテンプルの湾曲した端部に対応した角度が前記２つの眼鏡テンプル保持具に付けられていることを特徴とするアイウェア保持装置。
【請求項６】
請求項１に記載のアイウェア保持装置において、
前記弾性ケーブルが、滑らかな外皮に覆われた金属製の中心部から形成されることを特徴とするアイウェア保持装置。
【請求項７】
請求項１に記載のアイウェア保持装置において、
前記テンプル保持具が、摩擦によって眼鏡のテンプルに保持されることを特徴とするアイウェア保持装置。
【請求項８】
請求項１に記載のアイウェア保持装置において、
前記テンプル保持具が眼鏡に取り付けられ且つ前記眼鏡が着用者の耳にかけられたときに、前記弾性ケーブルが、宙に浮いた円弧状を形成することを特徴とするアイウェア保持装置。
【請求項９】
請求項１に記載のアイウェア保持装置において、
前記ケーブルが、前記テンプル保持具の少なくとも一方に対して回転可能であることを特徴とするアイウェア保持装置。
【請求項１０】
請求項１に記載のアイウェア保持装置において、
前記ケーブルが、滑らかな外被により覆われた、巻かれた金属配線構造であることを特徴とするアイウェア保持装置。
【請求項１１】
請求項１に記載のアイウェア保持装置において、
前記ケーブルが、当該ケーブルを変形しようとする力に抵抗することを特徴とするアイウェア保持装置。
【請求項１２】
請求項１に記載のアイウェア保持装置において、
前記ケーブルが、全天候条件の下で直線形状を維持することを特徴とするアイウェア保持装置。
【請求項１３】
アイウェア保持装置であって、
２つの眼鏡テンプル保持具と、ケーブルとを備え、前記ケーブルが２つの端部を有し、各眼鏡テンプル保持具は、眼鏡テンプルの端部がスライド可能な開口部を有する前部分と、前記ケーブルの端部の一方に連結される後部分とを備え、各眼鏡テンプル保持具は、眼鏡テンプルの端部に取り外し可能に取り付けることができ、
前記眼鏡テンプル保持具が眼鏡テンプルの端部に取り付けられ且つ前記眼鏡が着用者の耳の上にかけられたときに、前記ケーブルが、着用者の頭部から後方に延びて、着用者の首から離れて浮いた状態で保持されることを特徴とするアイウェア保持装置。
【請求項１４】
請求項１３に記載のアイウェア保持装置において、
前記ケーブルが、滑らかな外被により覆われた、巻かれた金属配線構造であることを特徴とするアイウェア保持装置。
【請求項１５】
請求項１３に記載のアイウェア保持装置において、
前記ケーブルが、当該ケーブルを変形しようとする力に抵抗することを特徴とするアイウェア保持装置。
【請求項１６】
請求項１３に記載のアイウェア保持装置において、
前記ケーブルが、全天候条件の下で直線形状を維持することを特徴とするアイウェア保持装置。
【発明の詳細な説明】
【技術分野】
【０００１】
本発明は、一般にアイウェアをユーザに保持する装置に関する。より詳細には、本発明は、着用者の頭部および頸上部の後側の周囲に延びるアイウェア保持具に関するものである。
【背景技術】
【０００２】
何十年間か、恐らくはそれよりも長く、アイウェアのユーザは、着用者の頭部に付けないときに着用者の胴上部の上に眼鏡を軽く保持するために、ひも、布製の保持具、軽量なチェーンおよび小さなロープを眼鏡に付けている。“Ｃｒｏａｋｉｅｓ”は、数十年前に導入されたものであり、眼鏡のテンプルを嵌め込む管状部分と、ユーザの後頭部の周りに延びる後側平面部とを有する基本的にはネオプレン（登録商標）の保持具ストラップである。Ｃｒｏａｋｉｅｓは、強烈なグレアや、光り輝く太陽の下で水、氷、雪、その他の反射面から反射する光に対する保護を与えるために、偏光サングラスおよび濃く着色されたレンズを利用するスキーヤー、漁師およびハンターに直ぐに人気を博したものである。その他のタイプのレンズも、異なるタイプの着色および外観を提供するために大衆文化において発展し、また、グレアおよび太陽の有害なＵＶ光から保護する対策も行われている。これを受けて、幅広い色彩および模様がＣｒｏａｋｉｅｓおよびその他の上述した保持具に導入されている。
【０００３】
しかしながら、より定型化された眼鏡と、特に処方箋なしで買えるタイプのサングラスレンズにおける、特により暗く着色されたガラスおよびプラスチック（例えば、ポリカーボネート）レンズの出現により、着用者は、近くの資料を読んだり、あるいは光が比較的弱い条件下で見られる資料を調べるために、より頻繁に眼鏡を外すことが必要とされている。例えば、明るい日照時間中に、漁師、船長、または一等航海士甲板員が、釣り道具を取り出し、チャートを読み、あるいはその他のナビゲーション補助具を見るために、船槽の上部デッキの下に行くときに、彼らの利用しているアイテムを見ることができるように、彼らの眼鏡を取ることは良くあることである。このため、Ｃｒｏａｋｉｅｓおよびその他のタイプの保持装置は、比較的低光量の条件で眼鏡を迅速に取り外して肉眼を使用する柔軟性を与えながらも、眼鏡の安全性および近傍での保持機能を提供しようとしているアウトドアやスポーツ好きの人々に人気となっている。
【０００４】
しかし残念なことに、Ｃｒｏａｋｉｅｓおよびその他のタイプのアイウェア保持装置は、古い保持装置が頸部または上背部分の後側またはシャツの襟の周囲に直接置かれるという点で、着用者に負担をかける。そのような場所は、保持装置自体が着用者の衣服の襟および／またはボタンに潜在的に巻き込まれて、眼鏡を着用者の目の上に再装着または再使用することを妨げる可能性があるため、不便である。また、襟無しの衣服およびその類似品において、あるいはシャツを着ていない個人でさえも、保持ひもは、チェーン、ひも、またはＣｒｏａｋｉｅｓのようなネオプレン（登録商標）による保持具であるかどうかに関係なく、汗、日焼け止めローション、保護用の皮膚軟化剤および個人の胴上部におけるその他の種類の老廃物により覆われるようになる。そのような汚れは、保持アイテムを見苦しく、見栄えしないものとし、今日の幾つかの高価な眼鏡が示す審美的な魅力を損なうものである。皮膚の外層上の塩およびその他の種類の化学物質による腐食はやがて、保持装置の保持効果を浸食あるいは損なう可能性があり、また、保持装置の色彩および模様の変色および減退を引き起こす可能性もある。
【０００５】
よって、過去のアイウェア保持装置の問題点のすべてを回避しながらも、アイウェアの保持目的の完全な効用を維持するような眼鏡保持装置が必要である。
【発明の概要】
【０００６】
本明細書においては、アイウェア保持装置が開示される。このアイウェア保持装置は、ケーブルのような長い弾性的なコードを含み、それは、滑らかなプラスチック製の外側シースを有し、先細のゴム引きの保持チューブ内の各端部で終わり、保持チューブが抜け落ちるのを防止するためにケーブルの端部に押し付けられた保持エンドグロメットも有する。
【図面の簡単な説明】
【０００７】
上記装置の特徴を組み入れたアイウェア保持装置は、開示の一部を構成する以下の添付図面に示されている。
【０００８】
【図１Ａ】図１Ａは、本発明の好ましい実施形態の部分正面図である。
【図１Ｂ】図１Ｂは、本発明の好ましい実施形態の保持チューブの一つの正面図である。
【図１Ｃ】図１Ｃは、保持チューブの１つの端面図である。
【図２Ａ】図２Ａは、本発明の保持チューブの一つの非常に先細の実施形態の部分正面図である。
【図２Ｂ】図２Ｂは、本発明の保持チューブの一つの非常に先細の実施形態の正面図である。
【図２Ｃ】図２Ｃは、本発明の保持チューブの一つの非常に先細の実施形態の一つの端面図である。
【図３】図３は、エンドストップグロメットに対して配置された一般化された半円形状および保持チューブを示す本発明の好ましい実施形態の平面図である。
【図４】図４は、保持チューブ内に挿入されるテンプルの一般的な配置を示す、典型的な眼鏡のテンプル端部に配置された本発明の斜視図である。
【図５】図５は、本発明の好ましい実施形態の端部斜視図である。
【図６】図６は、保持チューブが保持ケーブルから分離することを防止する圧着エンドグロメットを曝すために、保持ケーブルに沿って再配置された保持チューブを示す本発明の平面図である。
【発明を実施するための形態】
【０００９】
本発明の機能および構造についてのよりよい理解のために図面を参照すると、図１Ａ乃至図１Ｃに本発明１０が示されている。本発明１０は、きつく巻かれた配線構造を有するケーブルであって、相対的に無摩擦のプラスチック外部絶縁により覆われたケーブル１１を含んでいる。ケーブル１１は、その形状がゼロ軸撓み方向（zero axis deflection orientation）に向けて弾性的に付勢されるように、十分な直径および内部配線弾性を有するものである。すなわち、同径の固体銅またはアルミニウムワイヤにおいて見られるように、ケーブルは簡単に撓み記憶（deflection memory）を示すことはなく、ケーブルを変形しようとする試みに抵抗して、全天候条件の下で直線形状を維持する。本発明１０は、ケーブル１１の各端部に保持チューブ１２を含む。各チューブ１２は、一般的な寸法の眼鏡のテンプルの端部を通過させるのに十分な直径を有するテンプル保持開口部１８を含む。また、保持チューブ１２の開口部１８は、簡単な離脱を防ぐのに十分な摩擦性能を与えながらも、一般的な眼鏡テンプルの端部上での保持チューブ１２の容易なスライドを可能にするように、ある程度の摩擦特性を示すようにサイズ調節される。一般に、保持チューブ１２は、フレキシブルで弾性を有するゴムまたは同様の化合物からなり、その外部に低摩擦特性を有している。保持チューブ１２は、ケーブルの周囲に連続的な周方向の接触を維持しながらも、ケーブル１１の端部を挿入するために協調的に寸法が設定されたケーブル開口１９を規定する先細部１６を含む。一旦、ケーブルの端部が開口１９を通過して、開口部１８から現れると、ビードまたはボールベアリング１３が、ビード１３の中心を横断するチャネル１７を介して、ケーブル１１の端部上でスライドされる。その後、ビード１３がケーブル１１から抜け落ちるのを防ぐために、クリンプまたはグロメット１５がケーブルに適用される。クリンプまたはグロメット１５は、既知の方法を使用して圧縮されて、ケーブルに係合し永続的に取り付けられ、それにより、ケーブル１１の端部にストッパを形成する。ビードは、プラスチック、金属またはセラミックで作ることができ、チャネル１７の直径は、ケーブル１１がビード１３を自由に通過することを可能にしてケーブル１１がビード１３を介して回転および平行移動することを可能にするように寸法を設定すべきである。グロメット１５は、ケーブル１１に永続的に取り付けるために適当な変形特性を有する任意の材料から作ることができるが、銅または黄銅がその良性の低酸化特性により好ましい。ケーブル１１の端部に取り付けられるとき、グロメット１５とビード１３の組合せは、開口１９を通じたケーブル１１の端部の通過を防止する。一旦、ビードとグロメットの組合せがケーブル１１の端部に固定されると、張力をケーブル１１に加えることができ、ケーブルおよびビードとグロメットの組合せは、開口部１８を通して慎重に引っ張って、ビード１３を内部結合先細部１６および保持チューブ１２の側壁に対して固定することができる。先細部１６の内壁にビードが係合すると、ビード１３が、周方向の圧力を先細部１６の上部に加えて、ビード１３を保持チューブ１２内に固定し、それにより、保持チューブ内にケーブル１��の端部１４を固定する。保持チューブ１２およびグロメットとビードの組合せのアセンブリは、ケーブル１１のそれぞれの端部について同一である。
【００１０】
ここで図２Ａ乃至図２Ｃを参照すると、保持チューブ１２の第２実施形態を見ることができる。相対的に細いテンプルを有する幾つかの眼鏡に適用させるために、保持チューブ２２は、開口部２１から開口２３に向けて全体に先細の円錐形構造を含むように作り変えることができる。図示のように、もっと細長いサイズのテンプルを開口部２１内に挿入して、挿入したテンプルの端部に十分な周方向の摩擦力が加えられて保持チューブ２２の中空内部でテンプルの前進が止まるまで、保持チューブ２２の内部に沿ってスライドさせることができるように、保持チューブ２２の中空内部は、細長い円錐形にサイズ調節される。この形状は、異なる寸法のテンプルの適用性を変えることを可能とし、２２の中空内部に挿入されたテンプルの周方向の摩擦を増大させることにより、追加的な保持安定性も与える。前述と同様に、グロメットとビードの組合せ（図示せず）がケーブル１１の端部に取り付けられ、ビード１３が、開口２３の近傍に向けて２２の内部と係合するまで、開口部２１を通じて引っ張られる。
【００１１】
ここで図３を参照すると、実質的に半円形状または円弧形状２６に合わせた本発明１０を見ることができる。ケーブル１１の弾力性により、保持具１０は、眼鏡のテンプルに取り付けられたときに、円弧形状２６を維持する。
【００１２】
ここで図４を参照すると、保持チューブ１２は、図示のように、テンプル３１の端部が保持チューブ１２の内部で完全に係合するまで、図示の眼鏡２７のテンプルの端部に外嵌されている。本発明１０と眼鏡２７あるいは場合によってはサングラスとの組合せを着用者の頭部の定位置に着用することを可能にするために、十分な長さのケーブル１１が設けられ、その長さは、野球帽および同様のサンバイザ保護ヘッドギアに適用するためにサイズ調節されている。
【００１３】
重要なことには、保持チューブ１２の固定構造と組み合わされるケーブル１１の弾力性は、ケーブルが着用者の後側頸部および下側頭部の上方に引き上げられた円弧の状態を維持するように、その固有の弾力性により、ケーブル１１内に内部弾力性を作り出す。したがって、ケーブルの内部弾力性および眼鏡テンプルにおけるチューブの位置調整により、ケーブルは、着用者の背中または襟、あるいはユーザにより着用されるその他の衣服に接触することがなくなり、その代わりに、ユーザから後方に延びる、間隔を空けた状態を保持する。さらに、保持チューブおよび／または円錐形の先細部の角度は、着用者の上背および頸部の上方の引き上げ位置にケーブル部分の向きを変えることを可能にするために、変更することができる。例えば、眼鏡のテンプルのある端部は、着用者の耳の上で急激に下方に延びる。角度を付けた保持チューブは、ケーブルが着用者またはその衣服に接触しないようにケーブルがユーザの頭部から後方に延びるように、ケーブル１１の方向を後方に正常化させて、サスペンドされたケーブルの弧状部を維持するために、この下向きの角度を訂正することを可能にする。
【００１４】
ここで図６を参照すると、一対のビード１３がケーブル１１の端部の上をスライドすることが分かる。この図では、ケーブルの端部１４を曝すために、保持チューブ１２が銅クリンプまたはグロメット１５から離れるように移動されている。図示のように、グロメット１５は、当該グロメット１５がケーブル１１に沿う方向の何れにも移動しないように圧縮されており（例えば、ひだが形成されており）、それにより、ビード１３がケーブル１１の端部を通り抜けることが防止されている。
【００１５】
本発明を一つの形式で示してきたが、本発明はそのように制限されるものではなく、その趣旨を逸脱しない範囲で様々な変更および修正を受け入れる余地があることが当業者には明らかであろう。例えば、ワイヤケーブル１１が、プラスチック被覆された巻回されたケーブルと同様の弾力特性を示す弾性プラスチックまたはカーボンファイバ置換部材に置き換えることができることを、発明者は想定している。
【図１Ａ】
0005797552.tif 000002
【図１Ｂ】
0005797552.tif 000003
【図１Ｃ】
0005797552.tif 000004
【図２Ａ】
0005797552.tif 000005
【図２Ｂ】
0005797552.tif 000006
【図２Ｃ】
0005797552.tif 000007
【図３】
0005797552.tif 000008
【図４】
0005797552.tif 000009
【図５】
0005797552.tif 000010
【図６】
0005797552.tif 000011